(57)【要約】【課題】パーソナルコンピュータ等の情報機器に収められたデータを簡易に画像化して拡大投影する画像表示を行なう。【解決手段】インターフェイスと画像処理装置と投影装置とを有し、外部の情報機器から前記インターフェイスを介して入力されたデータを前記画像処理装置によって画像信号に変換し、この画像信号を前記投影装置によって光学信号に変換して拡大投影する。この構成によれば、パーソナルコンピュータ等の情報機器に収められたデータを画像化して拡大投影することができ、比較的小面積の像を想定することによって、投影表示装置の構成を簡略化し製造コストを低下させることができる。【選択図】        図１
2004173134.tif 000002
【特許請求の範囲】
【請求項１】
インターフェイスと画像処理装置と投影装置とを有し、外部の情報機器から前記インターフェイスを介して入力されたデータを前記画像処理装置によって画像信号に変換し、この画像信号を前記投影装置によって光学信号に変換して拡大投影することを特徴とする画像投影表示装置。
【請求項２】
前記データを保存するメモリを内蔵することを特徴とする請求項１に記載の画像投影表示装置。
【請求項３】
前記画像処理装置及び投影装置を作動させる電源を内蔵することを特徴とする請求項１又は請求項２に記載の画像投影表示装置。
【請求項４】
前記データが既存のファイル形式をした画像ファイル或いはテキストファイルであることを特徴とする請求項１乃至請求項３の何れか一項に記載の画像投影表示装置。
【発明の詳細な説明】
【０００１】
【発明の属する技術分野】
本発明は、画像投影表示装置に関し、特に、持ち運びの可能な小型の画像投影表示装置に適用して有効な技術に関するものである。
【０００２】
【従来の技術】
情報化社会の進展及び機器の小型化によって、顧客へのプレゼンテーション或いは社内・社外での打ち合わせ等にパーソナルコンピュータを持参して、そのパーソナルコンピュータに内蔵された各種のデータを提示或いは利用して、説明或いは検討等を行なう場合が多くなっている。このような場合に、参加人員が多数の場合にはプロジェクタ等を用いて大画面にパーソナルコンピュータのモニタ画面を表示している。
【０００３】
他にパーソナルコンピュータに付属した液晶モニタの表示パネルを１８０度回転させて机上に広げられる構成とする、或いは表示パネルの向きを変えられる構成とする等の方法によって、対面する相手に対して前記表示パネルの視認を可能とする技術が開発されている。
【０００４】
【発明が解決しようとする課題】
しかしながら、比較的頻度の高い２名〜３名程度の少人数でのプレゼンテーション或いは打ち合わせにて現行のプロジェクタを使用する場合には、専用のスクリーンが必要になる、画面が必要以上に大きくなる、機器が高価であり台数に限りがある等の問題があり実際に使用することは難しい。また、パーソナルコンピュータに付属する液晶モニタ等をそのまま用いた場合には、画面が小さすぎるので複数の人が同時に視認するのは困難である。
【０００５】
本発明の課題は、これらの問題点を解決し、パーソナルコンピュータ等の情報機器に収められたデータを簡易に画像化して拡大投影する画像表示を行なうことが可能な技術を提供することにある。
本発明の前記ならびにその他の課題と新規な特徴は、本明細書の記述及び添付図面によって明らかになるであろう。
【０００６】
【課題を解決するための手段】
本願において開示される発明のうち、代表的なものの概要を簡単に説明すれば、下記のとおりである。
インターフェイスと画像処理装置と投影装置とを有し、外部の情報機器から前記インターフェイスを介して入力されたデータを前記画像処理装置によって画像信号に変換し、この画像信号を前記投影装置によって光学信号に変換して拡大投影する。
【０００７】
上述した本発明によれば、パーソナルコンピュータ等の情報機器に収められたデータを画像化して拡大投影することができ、比較的小面積の像を想定することによって、投影表示装置の構成を簡略化して製造コストを低下させることができる。このため、画像を複数の人が同時に視認することができるので、少人数の打ち合わせ等を効率よく進めることができ、照明が充分ではなく空間的な制約がある場所でも図面或いはマニュアル等の書類を容易に確認することができる。
【０００８】
以下、本発明の実施の形態を説明する。
なお、実施の形態を説明するための全図において、同一機能を有するものは同一符号を付け、その繰り返しの説明は省略する。
【０００９】
【発明の実施の形態】
（実施の形態１）
図１は、本発明の一実施の形態である画像投影表示装置を示す構成図である。
【００１０】
本実施の形態の画像表示装置は、パーソナルコンピュータ１等の外部情報機器から、ＵＳＢケーブル２等を接続してデータの転送を行なうためのインターフェイス３と、入力されたデータを保存するメモリ４と、メモリ４のデータを画像信号に変換する画像処理装置５と、前記画像信号を光学信号に変換して画像を投影表示する投影装置６とを有しており、メモリ４、画像処理装置５及び投影装置６には、内蔵した電池等の電源７から操作パネル８の操作によって電力が供給されて作動する。
【００１１】
メモリ４には不揮発性の記憶素子が用いられ、ＢＭＰ，ＪＰＥＧ等の既存のファイル形式をした画像ファイル或いはテキストファイルがデータとして記憶されている。これらのデータは、操作パネル８の操作によって適宜選択され、選択されたデータを画像処理装置５によってＲＧＢ信号等の画像信号に変換し、この画像信号が投影装置６の透過液晶表示パネル６ａに送られて光学信号に変換されて画像となる。
【００１２】
液晶表示パネル６ａの画像は、パワー発光ダイオード（ＬＥＤ）等の光源６ｂ及びレンズ６ｃによって外部へ拡大投影される。投影された画像を表示するスクリーンとしては、図２に示すように、例えば周囲の壁面・床或いはテーブル・機器の筐体等の、明色で比較的平坦な適宜の面を利用することができる。スクリーンに映し出される映写画像としてはＡ５〜Ａ３サイズ程度の比較的小面積の像を想定することによって、投影表示装置の構成を簡略化し製造コストを低下させることができる。
【００１３】
画像処理装置５は、処理するデータとして既存のファイル形式を採用しているため、プログラムとして簡単なビューワ機能が内蔵されていれば充分であり、ＯＳ（Ｏｐｅｒａｔｉｎｇ  Ｓｙｓｔｅｍ）及び特別なアプリケーションは不要である。なお、特殊な形式のファイルを使用する場合には、メモリ４にアプリケーションを一時的に登録して、当該形式のファイルの使用を可能とする構成としてもよい。
【００１４】
また、図３に示すように、コンパクトフラッシュ（登録商標）、スマートメディア（登録商標）等のメモリカード４´をメモリ４として用い、予めパーソナルコンピュータ１等に接続してデータを格納したメモリカード４´を本実施の形態の投影表示装置のインターフェイス３に接続する構成としてもよい。
【００１５】
配管・配線等の工事・点検等の作業では、配線室・とう道等の照明が充分ではなく空間的な制約がある場所で図面或いはマニュアル等の書類を確認する場合が多く、従来はこうした場合に書類を広げて懐中電灯等の照明を当てながら前記書類を確認しなければならず、作業効率が低下していたが、本実施の形態の投影表示装置を用いれば、図面或いはマニュアル等の書類を容易に確認することができるので、作業効率が向上する。
【００１６】
図４は、本発明の一実施の形態である画像投影表示装置の他の使用例を示しており、前述した使用例では、投影表示装置を携帯し単独で使用する場合を想定しているが、本実施の形態では投影表示装置のインターフェイス３をケーブル２によってパーソナルコンピュータ１等の外部情報機器と接続した状態で使用する。
【００１７】
こうした場合には、通常の室内で使用されることが想定されるため、映し出される映写画像を鮮明にするために、映写画像の光量を大きくすることが望ましい。このため、効率のよい小型のスクリーン９を用意する、或いは、内蔵された電源７とは別に外付けの電源装置１０を用いて、内蔵電源７による制約をなくし光源６ｂを強化することが考えられる。
【００１８】
電源装置１０を用いる場合には内蔵された電源７を省略して小型化・低コスト化を図ることができる。更に、パーソナルコンピュータ１と接続した状態で使用することから、メモリ４を省略して、更に、小型化・低コスト化を図ることができる。
【００１９】
以上、本発明を、前記実施の形態に基づき具体的に説明したが、本発明は、前記実施の形態に限定されるものではなく、その要旨を逸脱しない範囲において種々変更可能であることは勿論である。
【００２０】
例えば、データを供給する外部情報機器としては、パーソナルコンピュータ１の他にＰＤＡ（Ｐｅｒｓｏｎａｌ  Ｄｉｇｉｔａｌ  Ａｓｓｉｓｔａｎｔｓ）、デジタルカメラ等の他の機器を用いることも可能である。
【００２１】
【発明の効果】
本願において開示される発明のうち代表的なものによって得られる効果を簡単に説明すれば、下記のとおりである。
（１）本発明によれば、パーソナルコンピュータ等の情報機器に収められたデータを画像化して拡大投影することができるという効果がある。
（２）本発明によれば、比較的小面積の像を想定することによって、投影表示装置の構成を簡略化し製造コストを低下させることができるという効果がある。
（３）本発明によれば、上記効果（１）（２）により、画像を複数の人が同時に視認することができるので、少人数の打ち合わせ等を効率よく進めることができるという効果がある。
（４）本発明によれば、上記効果（１）（２）により、照明が充分ではなく空間的な制約がある場所でも図面或いはマニュアル等の書類を容易に確認することができるという効果がある。
（５）本発明によれば、上記効果（４）により、作業効率が向上するという効果がある。
【図面の簡単な説明】
【図１】本発明の一実施の形態である画像投影表示装置を示す構成図である。
【図２】本発明の一実施の形態である画像投影表示装置の使用例を示す図である。
【図３】本発明の一実施の形態である画像投影表示装置の変形例を示す構成図である。
【図４】本発明の一実施の形態である画像投影表示装置の他の使用例を示す図である。
【符号の説明】
１…パーソナルコンピュータ、２…ケーブル、３…インターフェイス、４…メモリ、４´…メモリカード、５…画像処理装置、６…投影装置、６ａ…透過液晶表示パネル、６ｂ…光源、６ｃ…レンズ、７…電源、８…操作パネル、９…スクリーン、１０…電源装置。
【図１】
2004173134.tif 000003
【図２】
2004173134.tif 000004
【図３】
2004173134.tif 000005
【図４】
2004173134.tif 000006